(57)【要約】【課題】データストリーム処理部４のデータ送信処理部１１から送信データが出力されるタイミングでは発光素子１３の故障を判定することができるが、データ送信処理部１１から送信データが出力されないタイミングでは、発光素子１３の故障を判定することができず、故障の検出頻度を高めることができないなどの課題があった。【解決手段】疑似データ生成部３１により生成された疑似データにしたがって発光素子３４を駆動する発光素子ドライバ３３を設け、その発光素子３４が発光しているか否かを検出する発光検出回路３５の検出結果に基づいて発光素子３４の故障を判定する。【選択図】　　　　図１
2004032421.tif 000002
【特許請求の範囲】
【請求項１】
故障検出用の擬似データを生成する擬似データ生成手段と、上記擬似データ生成手段により生成された擬似データにしたがって発光素子を駆動する素子駆動手段と、上記発光素子が発光しているか否かを検出する検出手段と、上記検出手段の検出結果に基づいて上記発光素子の故障を判定する判定手段とを備えた故障検出装置。
【請求項２】
擬似データ生成手段は、局装置に対する送信データが存在しないとき擬似データを生成することを特徴とする請求項１記載の故障検出装置。
【請求項３】
擬似データ生成手段は、局装置から擬似データの生成指令を受信すると、その擬似データを生成することを特徴とする請求項１記載の故障検出装置。
【請求項４】
擬似データ生成手段及び判定手段が、局装置に対する送信データを生成する端末装置のデータストリーム処理部に内蔵されていることを特徴とする請求項１から請求項３のうちのいずれか１項記載の故障検出装置。
【請求項５】
擬似データ生成手段及び判定手段が、局装置に対して送信データの送信処理を行う端末装置の光送受信器に内蔵されていることを特徴とする請求項１から請求項３のうちのいずれか１項記載の故障検出装置。
【発明の詳細な説明】
【０００１】
【発明の属する技術分野】
この発明は、光送受信器に実装されている発光素子の故障を検出するＰＯＮシステムの故障検出装置に関するものである。
【０００２】
【従来の技術】
図４は従来の故障検出装置が適用されるＰＯＮシステムを示す構成図であり、図において、１は端末装置、２は端末装置１と局装置３を接続する光ファイバ、３は局装置、４は局装置３に対する送信データの生成処理を実施するとともに、局装置３から送信されたデータの解析処理等を実施するデータストリーム処理部、５は局装置３に対して送信データの送信処理を実施するとともに、局装置３から送信されたデータの受信処理を実施する光送受信器、６は光ファイバ２に対する光信号の入出力をインターフェースするＷＤＭ、７は端末装置１に対して光ファイバ２の帯域を割り当てるグラント生成部である。
【０００３】
１１は局装置３に対する送信データを生成するデータ送信処理部、１２はデータ送信処理部１１により生成された送信データにしたがって発光素子１３を駆動する発光素子ドライバ、１３は発光素子ドライバ１２により駆動される発光素子、１４は発光素子１３が発光しているか否かを検出する発光検出回路、１５は発光検出回路１４の検出結果に基づいて発光素子１３の故障を判定する送信器故障判定部、１６はＷＤＭ６が光ファイバ２から光信号を入力すると、その光信号を受光して電気的なデータを出力する受光素子、１７は受光素子１６から出力されたデータを増幅するプリアンプ、１８はプリアンプ１７により増幅されたデータの解析処理等を実施するデータ受信処理部である。
【０００４】
次に動作について説明する。
ＰＯＮシステムにおいては、端末装置１がバースト的にデータを局装置３に送信するが、端末装置１がデータを局装置３に送信する場合、データストリーム処理部４のデータ送信処理部１１が送信データを生成する。
光送受信器５の発光素子ドライバ１２は、データ送信処理部１１が送信データを生成すると、その送信データにしたがって発光素子１３を駆動する。即ち、その送信データの論理が“１”であれば、発光素子１３を発光させ、その送信データの論理が“０”であれば、発光素子１３の発光を停止させる。
これにより、データ送信処理部１１により生成された送信データは光信号に変換され、その光信号がＷＤＭ６によって光ファイバ２に出力される。その後、その光信号は局装置３に受信される。
【０００５】
ここで、発光素子１３の故障を検出する必要がある場合（発光素子１３は、他の部品と比較して寿命が短いので、常時、故障を検出する必要がある）、データストリーム処理部４の送信器故障判定部１５が、データ送信処理部１１から送信データが出力されたことを検出すると、発光検出回路１４の検出結果に基づいて発光素子１３の故障を判定する。
即ち、送信データの論理が“１”のとき、発光検出回路１４の検出結果が、発光素子１３が発光していない旨を示している場合、あるいは、送信データの論理が“０”のとき、発光検出回路１４の検出結果が、発光素子１３が発光している旨を示している場合、発光素子１３の故障を認定する（図５を参照）。
【０００６】
【発明が解決しようとする課題】
従来の故障検出装置は以上のように構成されているので、データストリーム処理部４のデータ送信処理部１１から送信データが出力されるタイミングでは発光素子１３の故障を判定することができるが、データ送信処理部１１から送信データが出力されないタイミングでは、発光素子１３の故障を判定することができず、故障の検出頻度を高めることができないなどの課題があった。
【０００７】
この発明は上記のような課題を解決するためになされたもので、故障の検出頻度を高めることができる故障検出装置を得ることを目的とする。
【０００８】
【課題を解決するための手段】
この発明に係る故障検出装置は、擬似データ生成手段により生成された擬似データにしたがって発光素子を駆動する素子駆動手段を設け、その発光素子が発光しているか否かを検出する検出手段の検出結果に基づいて発光素子の故障を判定するようにしたものである。
【０００９】
この発明に係る故障検出装置は、局装置に対する送信データが存在しないとき擬似データを生成するようにしたものである。
【００１０】
この発明に係る故障検出装置は、局装置から擬似データの生成指令を受信すると、その擬似データを生成するようにしたものである。
【００１１】
この発明に係る故障検出装置は、擬似データ生成手段及び判定手段が、局装置に対する送信データを生成する端末装置のデータストリーム処理部に内蔵されるようにしたものである。
【００１２】
この発明に係る故障検出装置は、擬似データ生成手段及び判定手段が、局装置に対して送信データの送信処理を行う端末装置の光送受信器に内蔵されるようにしたものである。
【００１３】
【発明の実施の形態】
以下、この発明の実施の一形態を説明する。
実施の形態１．
図１はこの発明の実施の形態１による故障検出装置が適用されるＰＯＮシステムを示す構成図であり、図において、２１は端末装置、２２は端末装置２１と局装置２３を接続する光ファイバ、２３は局装置、２４は局装置２３に対する送信データの生成処理を実施するとともに、局装置２３から送信されたデータの解析処理等を実施するデータストリーム処理部、２５は局装置２３に対して送信データの送信処理を実施するとともに、局装置２３から送信されたデータの受信処理を実施する光送受信器、２６は光ファイバ２２に対する光信号の入出力をインターフェースするＷＤＭ、２７は端末装置２１に対して光ファイバ２２の帯域を割り当てるグラント生成部である。
【００１４】
３１は故障検出用の擬似データを生成する擬似データ生成部（擬似データ生成手段）、３２は局装置２３に対する送信データを生成して光送受信器２５に出力する一方、擬似データ生成部３１により生成された故障検出用の擬似データを光送受信器２５に出力するデータ送信処理部、３３はデータ送信処理部３２から出力された送信データ又は擬似データにしたがって発光素子３４を駆動する発光素子ドライバ（素子駆動手段）、３４は発光素子ドライバ３３により駆動される発光素子である。
【００１５】
３５は発光素子３４が発光しているか否かを検出する発光検出回路（検出手段）、３６は発光検出回路３５の検出結果に基づいて発光素子３４の故障を判定する送信器故障判定部（判定手段）、３７はＷＤＭ２６が光ファイバ２２から光信号を入力すると、その光信号を受光して電気的なデータを出力する受光素子、３８は受光素子３７から出力されたデータを増幅するプリアンプ、３９はプリアンプ３８により増幅されたデータの解析処理等を実施するデータ受信処理部、４０は故障検出装置である。
【００１６】
次に動作について説明する。
ＰＯＮシステムにおいては、端末装置２１がバースト的にデータを局装置２３に送信するが、端末装置２１がデータを局装置２３に送信する場合、データストリーム処理部２４のデータ送信処理部３２が送信データを生成する。
光送受信器２５の発光素子ドライバ３３は、データ送信処理部３２が送信データを生成すると、その送信データにしたがって発光素子３４を駆動する。即ち、その送信データの論理が“１”であれば、発光素子３４を発光させ、その送信データの論理が“０”であれば、発光素子３４の発光を停止させる。
これにより、データ送信処理部３２により生成された送信データは光信号に変換され、その光信号がＷＤＭ２６によって光ファイバ２２に出力される。その後、その光信号は局装置２３に受信される。
【００１７】
次に、発光素子１３の故障を検出する必要がある場合、擬似データ生成部３１が故障検出用の擬似データを生成する。例えば、“１０１０１０１０”などの擬似データを生成する。
データストリーム処理部２４のデータ送信処理部３２は、擬似データ生成部３１が故障検出用の擬似データを生成すると、その擬似データを発光素子ドライバ３３に出力する。
【００１８】
光送受信器２５の発光素子ドライバ３３は、データ送信処理部３２から擬似データを受けると、その擬似データにしたがって発光素子３４を駆動する。即ち、その擬似データの論理が“１”であれば、発光素子３４を発光させ、その擬似データの論理が“０”であれば、発光素子３４の発光を停止させる。
送信器故障判定部３６は、データ送信処理部３２から擬似データが出力されたことを検出すると、発光検出回路３５の検出結果に基づいて発光素子３４の故障を判定する。
即ち、擬似データの論理が“１”のとき、発光検出回路３５の検出結果が、発光素子３４が発光していない旨を示している場合、あるいは、擬似データの論理が“０”のとき、発光検出回路３５の検出結果が、発光素子３４が発光している旨を示している場合、発光素子３４の故障を認定する。
【００１９】
なお、擬似データ生成部３１は、局装置２３に送信する送信データと故障検出用の擬似データが混信する不具合を防止するため、データ送信処理部３２から送信データが出力されないタイミングで、故障検出用の擬似データを生成する。したがって、データ送信処理部３２から送信データが出力されるタイミングでは、故障検出用の擬似データが生成されることはないが、このタイミングにおいては、発光素子ドライバ３３が送信データにしたがって発光素子３４を駆動するので、図４の従来例と同様にして、発光素子３４の故障を検出することができる。
【００２０】
以上で明らかなように、この実施の形態１によれば、擬似データ生成部３１により生成された擬似データにしたがって発光素子３４を駆動する発光素子ドライバ３３を設け、その発光素子３４が発光しているか否かを検出する発光検出回路３５の検出結果に基づいて発光素子３４の故障を判定するように構成したので、データ送信処理部３２から送信データが出力されないタイミングでも、発光素子３４の故障を検出することができるようになり、その結果、故障の検出頻度を高めることができる効果を奏する。
【００２１】
実施の形態２．
図２はこの発明の実施の形態２による故障検出装置が適用されるＰＯＮシステムを示す構成図であり、図において、図１と同一符号は同一または相当部分を示すので説明を省略する。
４１はデータ送信処理部３２から送信データが出力されていないとき、故障検出用の擬似データを生成する擬似データ生成部（擬似データ生成手段）、４２は発光検出回路３５の検出結果に基づいて発光素子３４の故障を判定する送信器故障判定部（判定手段）である。
【００２２】
上記実施の形態１では、端末装置２１のデータストリーム処理部２４が擬似データ生成部３１及び送信器故障判定部３６を搭載するものについて示したが、図２に示すように、端末装置２１の光送受信器２５が擬似データ生成部４１及び送信器故障判定部４２を搭載するようにしてもよく、上記実施の形態１と同様の効果を奏することができる。
【００２３】
実施の形態３．
図３はこの発明の実施の形態３による故障検出装置が適用されるＰＯＮシステムを示す構成図であり、図において、図１と同一符号は同一または相当部分を示すので説明を省略する。
４３は発光素子３４の故障確認要求を示す確認要求信号（擬似データの生成指令）を端末装置２１に送信する故障確認要求部である。
【００２４】
上記実施の形態１，２では、擬似データ生成部３１，４１が自らデータ送信処理部３２から送信データが出力されないタイミングを検出して、故障検出用の擬似データを生成するものについて示したが、データ受信処理部３９が故障確認要求部４３から光送受信器２５を介して確認要求信号を受信すると、擬似データの作成指令を擬似データ生成部３１に出力し、擬似データ生成部３１がデータ受信処理部３９から擬似データの作成指令を受けると、擬似データを生成するようにしてもよい。
これにより、擬似データ生成部３１，４１から擬似データの生成タイミングを検出する回路を削除することができる結果、端末装置２１の回路規模を削減することができる効果を奏する。
【００２５】
【発明の効果】
以上のように、この発明によれば、擬似データ生成手段により生成された擬似データにしたがって発光素子を駆動する素子駆動手段を設け、その発光素子が発光しているか否かを検出する検出手段の検出結果に基づいて発光素子の故障を判定するように構成したので、故障の検出頻度を高めることができる効果がある。
【００２６】
この発明によれば、局装置に対する送信データが存在しないとき擬似データを生成するように構成したので、局装置に送信する送信データと擬似データの混信を防止することができる効果がある。
【００２７】
この発明によれば、局装置から擬似データの生成指令を受信すると、その擬似データを生成するように構成したので、端末装置の回路規模を削減することができる効果がある。
【００２８】
この発明によれば、擬似データ生成手段及び判定手段が、局装置に対する送信データを生成する端末装置のデータストリーム処理部に内蔵されるように構成したので、データストリーム処理部において発光素子の故障を認定することができる効果がある。
【００２９】
この発明によれば、擬似データ生成手段及び判定手段が、局装置に対して送信データの送信処理を行う端末装置の光送受信器に内蔵されるように構成したので、光送受信器において発光素子の故障を認定することができる効果がある。
【図面の簡単な説明】
【図１】この発明の実施の形態１による故障検出装置が適用されるＰＯＮシステムを示す構成図である。
【図２】この発明の実施の形態２による故障検出装置が適用されるＰＯＮシステムを示す構成図である。
【図３】この発明の実施の形態３による故障検出装置が適用されるＰＯＮシステムを示す構成図である。
【図４】従来の故障検出装置が適用されるＰＯＮシステムを示す構成図である。
【図５】故障の認定処理を説明する説明図である。
【符号の説明】
２１　端末装置、２２　光ファイバ、２３　局装置、２４　データストリーム処理部、２５　光送受信器、２６　ＷＤＭ、２７　グラント生成部、３１　擬似データ生成部（擬似データ生成手段）、３２　データ送信処理部、３３　発光素子ドライバ（素子駆動手段）、３４　発光素子、３５　発光検出回路（検出手段）、３６　送信器故障判定部（判定手段）、３７　受光素子、３８　プリアンプ、３９　データ受信処理部、４０　故障検出装置、４１　擬似データ生成部（擬似データ生成手段）、４２　送信器故障判定部（判定手段）、４３　故障確認要求部。
【図１】
2004032421.tif 000003
【図２】
2004032421.tif 000004
【図３】
2004032421.tif 000005
【図４】
2004032421.tif 000006
【図５】
2004032421.tif 000007